【事件の表示】
　平成１０年特許願第１５１３５９号「画像処理装置のパラメータ共有方法およびシステム」拒絶査定不服審判事件〔平成１１年１２月１４日出願公開、特開平１１−３４６２８８〕について、次のとおり審決する。
【結　論】
　本件審判の請求は、成り立たない。
【理　由】
１．手続きの経緯・本願発明
　本願は、平成１０年６月１日に出願されたものであって、平成１６年１１月１日付けで拒絶査定がされ、これに対して平成１６年１２月８日に拒絶査定不服審判が請求されると共に手続補正がなされたものである。
　同手続補正は、先の手続補正で補正された特許請求の範囲の請求項１および３を削除したものであるので、特許法１７条の２第４項第１号に規定する請求項の削除を目的とするものに該当し、適法な補正である。
　そして、本願の請求項１に係る発明は、同手続補正で補正された特許請求の範囲の請求項１に記載された事項により特定される次のとおりのものと認められる。（以下、「本願発明」という。）
　
　「【請求項１】　ネットワークに接続された少なくとも１つの画像処理装置を有する画像処理システムにおいて、
　前記ネットワークに接続されるサーバに前記画像処理装置の動作条件となる少なくとも１つのパラメータを予め登録し、前記画像処理装置は、ジョブを実行する際に前記サーバからパラメータの説明情報を取得し、該説明情報を取得した後に、前記サーバから所望のパラメータを取得し、該取得したパラメータに基づいてジョブを実行することを特徴とする画像処理装置のパラメータ共有方法。」
　
２．引用刊行物
　原審が拒絶の理由に引用した特開平６−２１７０６６号公報（平成６年８月５日出願公開。以下、「引用例１」という。）には、図面と共に次の各記載がある。
　
（ア）「【００１７】本発明の目的は、
ＬＡＮで接続したＦＡＸシステム
【００１８】
【課題を解決するための手段】上記目的を達成するため、
本発明のＦＡＸシステムは、少なくとも１つのＦＡＸサーバとローカルＦＡＸ及びクライアントＰＣ，ＷＳをＬＡＮに接続し、ユーザがクライアントから入力した各種パラメータをＦＡＸサーバへ転送する一方、ユーザがログインしたローカルＦＡＸは、ＦＡＸサーバの遠隔制御により操作処理を実行する
【００１９】このため本発明の
ＬＡＮ接続ＦＡＸシステムは
ＦＡＸ通信に関わる各種パラメータを入力するパラメータ入力部を備えたクライアントＰＣまたはＷＳ
ローカルＦＡＸ
通信ジョブを管理する通信管理部、ローカルＦＡＸの操作パネルに表示する情報を送信し、ローカルＦＡＸのキー入力情報を受信する端末制御部、システムを利用するユーザの各種パラメータを記憶するパラメータファイル、端末制御部を介してローカルＦＡＸとの間でＦＡＸ通信に関わる操作処理を実行するパラメータ管理部を備えたＦＡＸサーバとで構成する
【００２０】
【作用】本発明のＦＡＸシステムによれば、ユーザがクライアントのＰＣまたはＷＳから入力した各種パラメータをＦＡＸサーバへ転送する一方、ユーザがログインしたローカルＦＡＸは、ＦＡＸサーバの遠隔制御により操作処理を実行する。つまり、
ＦＡＸサーバがＦＡＸの送信予約に伴うパラメータファイルの参照，登録，検索等の処理を実行するため、ローカルＦＡＸはＦＡＸサーバの遠隔制御による操作処理に応じたキー入力及び表示だけを制御すれば良く、パラメータファイルを格納する記憶装置や送信予約処理プログラムを格納するメモリを不要とでき、ローカルＦＡＸを低価格で提供することが可能となる
　なお、下線は審決において附された。以下同様。
　
（イ）「【００２１】
【実施例】以下、本発明の一実施例について図面を用いて説明する。
【００２２】図１は本発明のＦＡＸシステムの構成図であり、以下の図中、同一の部分には同一の符号を付加する。
【００２３】
図１のＦＡＸシステムは、ＬＡＮ２５に接続したＦＡＸサーバ１と複数のローカルＦＡＸ２及び英数字キーボードや大型ディスプレイを有するクライアントのＰＣまたはＷＳ３からなる
ＦＡＸサーバ１は
ローカルＦＡＸ２は
クライアント３は
【００２４】図３はパラメータファイル１８の情報を説明するものである。
パラメータファイル１８は、ユーザ管理テーブル２１と宛先管理テーブル２２を備える
【００２５】
宛先管理テーブル２２は
【００２６】
ユーザ管理テーブル２１は
【００２７】図４は画像ファイル９の情報を説明するものである。
画像ファイル９は
【００２８】
画像管理テーブル２３は
　
（ウ）「【００２９】次にＦＡＸ通信に関わる宛先情報の登録、送信予約処理を説明する。
【００３０】
宛先情報を登録するユーザは、クライアント３からＦＡＸサーバ１へログインして、パラメータ入力部１６の操作ガイダンスに従い種々のパラメータを入力する
パラメータ入力部１６が、入力されたパラメータをＦＡＸサーバ１へ転送すると、ＦＡＸサーバ１のパラメータ管理部１７は、ログインしたユーザに対応する宛先管理テーブル２２の宛先名称，宛先読み，宛先番号に、受信したパラメータを格納した後、最終使用日時に現在の日時を格納し、送信頻度に０を格納して、宛先情報の登録処理を完了する
【００３１】本実施例において、ＦＡＸサーバ１の端末制御部１９とローカルＦＡＸ２の操作制御部２０は、ホストコンピュータに接続するダム端末のプロトコルにより通信制御を行う。すなわち
ＦＡＸサーバ１の端末制御部１９は、パラメータ管理部１７から受け取った情報を、ＬＡＮ制御部４を介してローカルＦＡＸ２の操作パネルに表示する情報として送信し、ＬＡＮ制御部４を介して受信した情報を、ローカルＦＡＸ２からのキー入力情報としてパラメータ管理部１７に通知する。またローカルＦＡＸ２の操作制御部２０は、ＬＡＮ制御部１０を介してＦＡＸサーバ１から受信した情報を操作パネルに表示し、キー入力された情報を、ＬＡＮ制御部１０を介してＦＡＸサーバ１へ送信する
【００３２】図５は、本発明のＦＡＸサーバ１におけるパラメータ管理部１７及び端末制御部１９の動作を示すフローチャートである。
【００３３】
ＦＡＸサーバ１の端末制御部１９は、ＬＡＮ制御部４を介してローカルＦＡＸ２からの接続を要求する情報の受信を待ち（ステップ５０１）、「１：ＦＡＸダイヤル入力 ２：ＦＡＸ送信モード選択 ３：スキャナ入力」等、動作モードの選択を促す表示情報を送信した後（ステップ５０２）、キー入力情報の受信を待つ(ステップ５０３）
　
（エ）「【００３４】次に、ローカルＦＡＸ２における操作制御部２０の動作を、図６のフローチャートを用いて説明する。
【００３５】ユーザがローカルＦＡＸ２に電源を投入した時、ローカルＦＡＸ２の操作制御部２０は、ＦＡＸサーバ１に対して接続を要求する情報を送信し（ステップ６０１）、ＦＡＸサーバ１からの表示情報受信を待つ（ステップ６０２）。次に操作制御部２０は、受信した表示情報を操作パネルに表示した後（ステップ６０３）、表示した情報が画像入力の開始を要求する情報であるか確認する（ステップ６
０４）。
画像入力の開始を要求する情報ではない場合、操作パネルのキー入力を検出して（ステップ６０５）、キー入力情報としてＦＡＸサーバ１へ送信した後（ステップ６０６）、ステップ６０２以降の表示情報の受信処理を繰返す
　
（オ）「【００３６】図７は、パラメータ管理部１７の送信予約処理（ステップ５０９）を詳細に説明するフローチャートである。
【００３７】
ＦＡＸサーバ１のパラメータ管理部１７は、「１：宛先検索  ２：親展送信　３：時刻指定送信　４：ダイヤル入力」等、送信モードの選択を促す表示情報を送信し（ステップ７０１）、キー入力情報の受信を待つ（ステップ７０２）
受信したキー入力情報が宛先検索を示す場合（ステップ７０３）、「１：リスト表示　２：読み検索」等、検索条件の入力を促す表示情報を送信し（ステップ７１２）、キー入力の受信を待つ(ステップ７１３）。キー入力を受信したパラメータ管理部１７は、受信した検索条件を基に宛先管理テーブル２２を検索し（ステップ７１４）、検索した宛先に関する情報を表示情報として送信した後（ステップ７１５）、再びキー入力情報の受信を待ち（ステップ７１６）、受信したキー入力情報が完了を示すまでステップ７１４以降の宛先検索処理を繰返す（ステップ７１７）
受信したキー入力情報が親展送信を示す場合、パラメータ管理部１７は、「親展パスワード」等、親展送信パスワードの入力を促す表示情報を送信し（ステップ７１９）、受信したキー入力情報を親展パスワードとして一時保管した後（ステップ７２０）、ステップ７０８へ移行する
ステップ７０５において受信したキー入力情報が時刻指定送信を示す場合、パラメータ管理部１７は、「送信時刻」等、送信時刻の入力を促す表示情報を送信し（ステップ７２１）、受信したキー入力情報を送信時刻として一時保管した後（ステップ７２２）、ステップ７０８へ移行する
ステップ７０５において、受信したキー入力情報が時刻指定送信を示していない場合、パラメータ管理部１７は、「宛先番号入力」等、宛先ＦＡＸ番号のテンキー入力を促す表示情報を送信し（ステップ７０６）、受信したキー入力情報を送信宛先番号として一時保管した後（ステップ７０７）、ステップ７０８へ移行する
　
（カ）「【００３８】また本実施例の
パラメータ管理部１７は、ステップ７１４の宛先検索処理において、リスト表示の場合、先頭の宛先管理テーブル２２から順に宛先名称や宛先番号等の送信を繰返し、ユーザに所望の宛先を選択させる。また読み検索の場合は、ローカルＦＡＸ２から受信した読みと同一の読みが登録された宛先管理テーブル２２を先頭から順に検索し、宛先名称や宛先番号等の送信を繰返し、ユーザに所望の宛先を選択させる
【００３９】そこで本実施例のパラメータ管理部１７は、各宛先毎に、最後に使用した日時または使用頻度を記憶し、最近使用した宛先または使用頻度の高い宛先から順に検索する機能を有する。リスト表示の場合、パラメータ管理部１７は、現在の日時に最も近い最終使用日時が登録された宛先管理テーブル２２または最大の使用頻度が登録された宛先管理テーブル２２から順に宛先名称や宛先番号等の送信を繰返す。読み検索の場合、パラメータ管理部１７は、ローカルＦＡＸ２から受信した読みと同一の読みを有する宛先管理テーブル２２の内、現在の日時に最も近い最終使用日時が登録された宛先管理テーブル２２または最大の使用頻度が登録された宛先管理テーブル２２から順に宛先名称や宛先番号等の送信を繰返す。
【００４０】以上のように本実施例のパラメータ管理部１７は、最近使用した宛先もしくは使用頻度の高い宛先から順に検索するため、ユーザの宛先検索回数を削減することが可能である。また本実施例のパラメータ管理部１７は、最終使用日時及び送信頻度による二方式の宛先検索順位を備えており、ユーザ毎に採用する宛先検索順位を予め定義しておく。しかしシステムの仕様によっては、一方の方式だけを搭載しても、十分な効果を期待できる。
【００４１】さらに本実施例のＦＡＸシステムによると、
送信先のＦＡＸ番号を記憶しているユーザは、ログインせずに、ローカルＦＡＸ２のテンキーによりダイヤル入力する（ステップ５１４から５１６）だけで手書き文書を送信可能
　
（キ）「【００４２】また企業において、パラメータファイル１８に登録した宛先情報は、ユーザ間で重複することが多い。そこで
本実施例のＦＡＸシステムは、ユーザ間で共有する宛先情報とユーザ個別の宛先情報を管理する
パラメータ管理部１７は、ユーザ間で共有する宛先情報を宛先管理テーブル２２に登録し、例えばユーザ名として「system」を登録したユーザ管理テーブル２１に関連付ける
システムで共有する宛先情報を入力した場合、ＦＡＸサーバ１のパラメータ管理部１７は、入力された宛先情報をユーザ名「system」に対応する宛先管理テーブル２２へ格納する
ユーザがローカルＦＡＸ２からログイン名として「system」を入力した場合、ＦＡＸサーバ１のパラメータ管理部１７は、ユーザ名「system」に対応する宛先管理テーブル２２を参照して宛先を検索する（ステップ７１４）
ＦＡＸシステムを利用する複数のユーザ間で、登録されている宛先を共有できるため、宛先登録の手間を省くことが可能である。またＦＡＸシステムにユーザ登録していないユーザでも、ログイン名として「system」を入力すれば、登録されている共有宛先を用いて送信予約することができる
【００４３】以上説明した実施例によると、ＦＡＸサーバ１が宛先検索等の送信予約処理を遠隔制御により実行し、
ローカルＦＡＸ２が端末エミュレーション機能により、ＦＡＸサーバ１から受信した操作ガイダンスや処理結果に関する表示情報を操作パネルに表示し、キー入力情報をＦＡＸサーバ１へ送信する
【００４４】また従来のＦＡＸシステムを利用するユーザが新たな送信予約機能を要求すると、図２におけるＦＡＸサーバ１のシステムパラメータ管理部７の処理プログラムを改造し、さらに分散配置した複数のローカルＦＡＸ２を、ユーザパラメータ管理部１３の処理プログラムを改造したローカルＦＡＸ２にリプレースしなければならない。このため機能拡張に伴うコストが増大する。しかし
本実施例のＦＡＸシステムによると、機能拡張に伴う処理プログラムの改造はローカルＦＡＸ２まで及ばないため、オフィス内に分散配置した複数のローカルＦＡＸ２をリプレースしなくとも、ＦＡＸサーバ１の送信予約処理プログラムを改造するだけで、新たな送信予約機能をユーザに提供することが可能である
【００４５】なお上述した実施例によると、手書き文書の送信を所望するユーザは、ＦＡＸサーバ１の遠隔制御により送信予約等の処理を実現するため、端末制御手順を備えた複数のローカルＦＡＸ２を新たに導入する必要がある。このため公衆回線へのインタフェースを有する既設のＦＡＸは処分しなければならない。そこで本発明の第２の実施例におけるＦＡＸシステムは、ユーザが使用していた既設のスタンドアロンＦＡＸをローカルＦＡＸとして有効利用する手段を提供する。」
　
　以上の記載からみて、引用例１には、次のような発明が記載されているものと認められる。
　「少なくとも１つのＦＡＸサーバとローカルＦＡＸ及びクライアントパーソナルコンピュータまたはワークステーションをＬＡＮに接続し、ユーザがクライアントから入力した各種パラメータをＦＡＸサーバへ転送する一方、ユーザがログインしたローカルＦＡＸは、ＦＡＸサーバの遠隔制御により操作処理を実行するＦＡＸシステム。」
　
３．対比
　本願発明と引用例１に記載された発明を対比すると、引用例１に記載された発明の「ＬＡＮ(Local Area Network)２５」は、本願発明の「ネットワーク」に相当し、引用例１に記載された発明の「ローカルＦＡＸ２」は、本願発明の「画像処理装置」に相当し、引用例１に記載された発明の「ＦＡＸサーバ１」は、本願発明の「サーバ」に相当し、引用例１に記載された発明の「ＦＡＸ通信に関わる各種パラメータ」は、本願発明の「パラメータ」に相当し、引用例１に記載された発明の「ＦＡＸシステム」は、本願発明の「画像処理システム」に相当することは、明らかである。
　
　そして、引用例１には、
(i)「【００１８】
【課題を解決するための手段】上記目的を達成するため、
本発明のＦＡＸシステムは、少なくとも１つのＦＡＸサーバとローカルＦＡＸ及びクライアントＰＣ，ＷＳをＬＡＮに接続し、ユーザがクライアントから入力した各種パラメータをＦＡＸサーバへ転送する一方、ユーザがログインしたローカルＦＡＸは、ＦＡＸサーバの遠隔制御により操作処理を実行
【００１９】このため
本発明のＬＡＮ接続ＦＡＸシステムは、
クライアントＰＣまたはＷＳと
ローカルＦＡＸと
ＦＡＸサーバとで構成する
(ii)「【００２３】図１の
ＦＡＸシステムは、ＬＡＮ２５に接続したＦＡＸサーバ１と複数のローカルＦＡＸ２及び英数字キーボードや大型ディスプレイを有するクライアントのＰＣまたはＷＳ３からなる
　との記載がなされており、これらの記載からみるに、引用例１には、ＦＡＸサーバー１（サーバーに相当）と、複数のローカルＦＡＸ２（画像処理装置に相当）と、そして複数のクライアントＰＣまたはＷＳ３とを、ＬＡＮ２５（ネットワークに相当）を介して接続したＦＡＸシステム（画像処理システムに相当）が記載されているから、本願発明と引用例１に記載された発明とは、
　「ネットワークに接続された少なくとも１つの画像処理装置を有する画像処理システム」
である点で差異はない。
　
　引用例１には、
(iii)「【００２０】
【作用】本発明のＦＡＸシステムによれば、
ユーザがクライアントのＰＣまたはＷＳから入力した各種パラメータをＦＡＸサーバへ転送する一方、ユーザがログインしたローカルＦＡＸは、ＦＡＸサーバの遠隔制御により操作処理を実行する
ＦＡＸサーバがＦＡＸの送信予約に伴うパラメータファイルの参照，登録，検索等の処理を実行するため、ローカルＦＡＸはＦＡＸサーバの遠隔制御による操作処理に応じたキー入力及び表示だけを制御すれば良く、パラメータファイルを格納する記憶装置や送信予約処理プログラムを格納するメモリを不要とでき、ローカルＦＡＸを低価格で提供することが可能となる
(iv)「【００３０】
宛先情報を登録するユーザは、クライアント３からＦＡＸサーバ１へログインして、パラメータ入力部１６の操作ガイダンスに従い種々のパラメータを入力する
パラメータ入力部１６が、入力されたパラメータをＦＡＸサーバ１へ転送すると、ＦＡＸサーバ１のパラメータ管理部１７は、ログインしたユーザに対応する宛先管理テーブル２２の宛先名称，宛先読み，宛先番号に、受信したパラメータを格納した後、最終使用日時に現在の日時を格納し、送信頻度に０を格納して、宛先情報の登録処理を完了する
(v)「【００３１】本実施例において、ＦＡＸサーバ１の端末制御部１９とローカルＦＡＸ２の操作制御部２０は、ホストコンピュータに接続するダム端末のプロトコルにより通信制御を行う。すなわち
ＦＡＸサーバ１の端末制御部１９は、パラメータ管理部１７から受け取った情報を、ＬＡＮ制御部４を介してローカルＦＡＸ２の操作パネルに表示する情報として送信し、ＬＡＮ制御部４を介して受信した情報を、ローカルＦＡＸ２からのキー入力情報としてパラメータ管理部１７に通知する。またローカルＦＡＸ２の操作制御部２０は、ＬＡＮ制御部１０を介してＦＡＸサーバ１から受信した情報を操作パネルに表示し、キー入力された情報を、ＬＡＮ制御部１０を介してＦＡＸサーバ１へ送信する
(vi)「【００３３】
ＦＡＸサーバ１の端末制御部１９は、
受信したキー入力情報がダイヤル入力以外の場合（ステップ５０４）、パラメータ管理部１７は、「login：」等、ログインするユーザ名の入力を促す表示情報を送信
パラメータ管理部１７はユーザ名を受信すると、受信したユーザ名と同一のユーザ名を有するユーザ管理テーブル２１を検索
ステップ５０８においてキー入力情報がスキャナ入力を示す場合、ステップ５０９の送信予約処理を実行せずにステップ５１０へ移行する
受信したキー入力情報がダイヤル入力を示す場合、パラメータ管理部１７は、「宛先番号入力」等、宛先ＦＡＸ番号のテンキー入力を促す表示情報を送信し（ステップ５１４）、受信したキー入力情報を画像管理テーブル２３の送信宛先番号に登録
　との記載がなされており、これらの記載からみて、引用例１には、ＬＡＮ２５に接続されるＦＡＸサーバ１にローカルＦＡＸ２の動作条件となる各種パラメータを予め登録し、ローカルＦＡＸ２は、処理を実行する際にＦＡＸサーバ１からパラメータを取得し、該取得したパラメータに基づいて処理を実行することが記載されているから、本願発明と引用例１に記載された発明とは、
　「ネットワークに接続されるサーバに画像処理装置の動作条件となる少なくとも１つのパラメータを予め登録し、前記画像処理装置は、ジョブを実行する際に、前記サーバから所望のパラメータを取得し、該取得したパラメータに基づいてジョブを実行する」
点で差異はない。
　
　引用例１には、
(vii)「【００４２】また企業において、パラメータファイル１８に登録した宛先情報は、ユーザ間で重複することが多い。そこで
本実施例のＦＡＸシステムは、ユーザ間で共有する宛先情報とユーザ個別の宛先情報を管理する
ＦＡＸサーバ１のパラメータ管理部１７は、ユーザ間で共有する宛先情報を宛先管理テーブル２２に登録し、例えばユーザ名として「system」を登録したユーザ管理テーブル２１に関連付ける
ユーザがクライアント３のパラメータ入力部１６を介してシステムで共有する宛先情報を入力した場合、ＦＡＸサーバ１のパラメータ管理部１７は、入力された宛先情報をユーザ名「system」に対応する宛先管理テーブル２２へ格納する
ユーザがローカルＦＡＸ２からログイン名として「system」を入力した場合、ＦＡＸサーバ１のパラメータ管理部１７は、ユーザ名「system
に対応する宛先管理テーブル２２を参照して宛先を検索する（ステップ７１４）
ＦＡＸシステムを利用する複数のユーザ間で、登録されている宛先を共有できるため、宛先登録の手間を省くことが可能である
ＦＡＸシステムにユーザ登録していないユーザでも、ログイン名として「system」を入力すれば、登録されている共有宛先を用いて送信予約することができる
　との記載がなされており、この記載からみるに、引用例１には、複数のローカルＦＡＸ２がパラメータを共有することが記載されているから、本願発明と引用例１に記載された発明とは、
　「複数の画像処理装置がパラメータを共有する」
点で差異はない。
　
　なお、複数のパラメータをファイル構成とし多数のユーザが参照可能な状態で所定の装置に格納しておき、不特定のユーザが該ファイルに格納されたパラメータを共有するという基本的技術思想は、特開平９−２０４５１５号公報、特開平９−２８４４４８号公報、特開平３−１０２９５０号公報、及び原審が拒絶の理由に引用した特開平１０−１２４４３６号公報にその旨が開示されているように、当業者には周知な技術事項である。
　
　そうすると、本願発明と引用例１に記載された発明とは、
（一致点）
　「ネットワークに接続された少なくとも１つの画像処理装置を有する画像処理システムにおいて、
　前記ネットワークに接続されるサーバに前記画像処理装置の動作条件となる少なくとも１つのパラメータを予め登録し、前記画像処理装置は、ジョブを実行する際に、前記サーバから所望のパラメータを取得し、該取得したパラメータに基づいてジョブを実行する画像処理装置のパラメータを共有するもの」
である点で一致し、次の各点で相違する。
　
（相違点１）
　特許請求の範囲の請求項１には、サーバへのパラメータの登録がどの装置からなされるかについての明確な記載はないから、サーバへのパラメータの登録が画像処理装置からなされるという点は本質的に相違点を構成するものではないが、本願発明においては、パラメータの登録が画像処理装置からなされているのに対して、引用例１に記載された発明においては、ＦＡＸサーバ１へのパラメータの登録がクライアント３のＰＣまたはＷＳからなされている点で一応相違する。
　
（相違点２）
　本願発明の画像処理装置は、ジョブを実行する際にサーバから、パラメータの説明情報を取得し、該説明情報を取得した後に、前記サーバから所望のパラメータを取得しているのに対して、引用例１に記載された発明のローカルＦＡＸ２は、ＦＡＸ通信に関わる各種パラメータを取得する前にパラメータの説明情報を取得するとは明記されていない点。
　
（相違点３）
　本願発明が方法発明であるのに対して、引用例１に記載された発明は装置発明であり、発明のカテゴリーが相違する点。
　
４．判断
（相違点１について）
　上記相違点１について判断するに、引用例１に記載された発明は、ローカルＦＡＸ２にパラメータファイルを格納するための大容量の記憶装置やそれに付随する他の装置を設けることなく低コストのものとし且つシステム変更に伴うローカルＦＡＸ２のリプレースを不必要とした安価なＦＡＸシステムを提供することをその目的としており、それ故に引用例１に記載された発明は、ＬＡＮ２５（ネットワークに相当）に接続された端末装置であるクライアント３のＰＣまたはＷＳからＦＡＸサーバーへパラメータを登録するようにしており、そして本願発明もネットワークに接続された端末装置である画像処理装置からサーバーへパラメータを登録するものであり、両者共、ネットワーク上の端末装置からパラメータを登録する点では同じであるから、高価なものとはなるが、引用例１に記載された発明のローカルＦＡＸ２（画像処理装置に相当）にパラメータ入力部及びそれに伴うパラメータ送信装置等を設け、本願発明の如く、ネットワークに接続された画像処理装置からパラメータをサーバーへ登録するようにすることは、当業者が適宜なし得ることである。
　
（相違点２について）
　上記相違点２について判断するに、(i)ユーザがシステム側のデータ構造を熟知し、かつシステム側とユーザ側との間でデータ構造に関する説明は不要であるとの暗黙の諒解が成立している場合は別ではあるが、一般の専門家ではない不特定のユーザが、システムのデータベースにデータを登録する際及びデータを利用する際、システム側がユーザに対して意味不明な単なる数値列としてのデータを提供することはまずもってなく、システム側からデータを構成する個々の数値の技術的説明が必ずなされることは当技術分野における当業者の技術常識である。(ii)また、一般のパーソナルコンピュータのユーザが、インターネットを介して、ホームページに開示された数値列で表されたデータを参照する場合、ホームページ側ではその数値列が技術的に何を意味するのか説明することが必要であり、ホームページは実際そのように設計されていることは、パーソナルコンピュータのユーザが日常良く経験していることである。(iii)また、ＣＡＤ(Computer Aided Design)システムには、多数の設計者が設計した複数の設計図が登録されており、この状況において、元の設計者とは異なる新たな設計者が該登録済みの設計図を改訂もしくは改良するために前記登録済みの設計図を参照する場合が多々あり、その際新たな設計者はこの設計図中に用いられたデータやパラメータを構成する数値列の技術的意味を知る必要があり、新たな設計者がデータやパラメータを構成する数値の技術的意味の説明をシステムに求めた時、システムはその要求に応える必要があることは、ＣＡＤの技術分野においては当業者の技術常識である。(iv)更にまた、パソコンの画面上のアイコンに示される機能を起動させる場合、パソコンの制御部が該アイコンのプロパテイを表示し、その起動前にユーザに確認を求めることは、パソコンのユーザが日常的に経験していることである。(v)そして、引用例１には、
(a)「【００３０】宛先情報を登録するユーザは、クライアント３からＦＡＸサーバ１へログインして、
パラメータ入力部１６の操作ガイダンスに従い種々のパラメータを入力する
(b)「【００３３】ＦＡＸサーバ１の端末制御部１９は、ＬＡＮ制御部４を介してローカルＦＡＸ２からの接続を要求する情報の受信を待ち（ステップ５０１）、
「１：ＦＡＸダイヤル入力 ２：ＦＡＸ送信モード選択 ３：スキャナ入力」等、動作モードの選択を促す表示情報を送信した後（ステップ５０２
(c)「【００３７】
ＦＡＸサーバ１のパラメータ管理部１７は、「１：宛先検索  ２：親展送信　３：時刻指定送信　４：ダイヤル入力」等、送信モードの選択を促す表示情報を送信し（ステップ７０１）、キー入力情報の受信を待つ（ステップ７０２）
　との記載がなされており、上記の「操作ガイダンス」、「動作モードの選択を促す表示情報」、及び「選択モードの選択を促す表示情報」は、ユーザに対するデータの説明情報の１つであることは明らかであって、システムに対してユーザがデータの登録及び利用を行う場合、システム側が該データの説明情報を必ず送信することは自明のことである。
　以上のことを踏まえると、引用例１に記載された発明に上記周知技術事項を適用して本願発明の如く、パラメータを取得する前にパラメータの説明情報を取得するように構成することは、当業者が適宜なし得ることである。
　
（相違点３について）
　上記相違点３について判断するに、発明の名称の語末を「装置」もしくは「方法」と書き換えることにより、発明のカテゴリーを「装置発明」から「方法発明」に、またはその逆に変更する程度のことは、当業者が格別の困難なしに適宜なし得ることである。
　
５．むすび
　以上のとおり、本願発明は、引用例１に記載された発明及び周知技術に基づいて当業者が容易に発明をすることができたものであり、特許法第２９条第２項の規定により特許を受けることができないものであるから、他の請求項について検討するまでもなく、本願は拒絶されるべきものである。
　よって、結論のとおり審決する。